(57)【要約】【課題】赤外線通信に要したとみなされる時間をいままでよりも短く抑えるとともに電池が抜かれるなどの事故が起きても焼き増し用の画像データの消失する危険性が極めて低いプリンタを提供する。【解決手段】  退避領域となるＦＬＡＳＨＭＥＭＯＲＹに画像２枚分の容量を持つものを用いる。待ち受け処理中に最新の画像データの方はそのままにして２つ前に格納された画像データの消去処理を行なうようにしておく。赤外線通信やシリアル通信により画像データを受信したら、その画像データをＲＡＭに記憶してプリント出力を行なった後、消去した領域にすぐに退避させるようにして画像データの消失の危険性を低下させる。【選択図】  図７
2006326946.tif 000002
【特許請求の範囲】
【請求項１】
外部からデータ上の画像を取得して該データ上の画像をプリント出力するプリンタにおいて、
画像を保存する不揮発性メモリを備え、該不揮発性メモリが、保存可能枚数よりも１枚分以上多い画像領域を有するものであることを特徴とするプリンタ。
【請求項２】
一番最後に保存した画像保存領域を示すフラグを前記不揮発性メモリ内に設けた事を特徴とする請求項１記載のプリンタ。
【請求項３】
一番最初に保存した画像保存領域を示すフラグを前記不揮発性メモリ内に設けた事を特徴とする請求項１記載のプリンタ。
【請求項４】
各画像保存領域が各々何番目に保存されたのかを示すフラグを前記不揮発性メモリ内に設けたことを特徴とする請求項１記載のプリンタ。
【請求項５】
前記不揮発性メモリに保存されている画像のうちの一番最初に保存された画像を、外部からの新たな画像取得終了前に消去開始する画像消去部を備えたことを特徴とするプリンタ。
【請求項６】
外部からの新たな画像の取得の終了を受けて、前記画像消去部による、前記不揮発性メモリに保存されている画像のうちの一番最初に保存された画像の消去が完了しているか否かを確認し、新たに取得した画像を、前記不揮発性メモリに、消去が完了していたときは直ちに保存し、消去未了のときは前記画像消去部による消去完了後に保存する画像保存部を備えたことを特徴とする請求項５記載のプリンタ。
【請求項７】
前記画像保存部は、新たに取得した画像がプリント出力可能な画像であるか否かを判定し、プリント出力可能なものであった場合のみ、該新たに取得した画像を前記不揮発性メモリに保存するものであることを特徴とする請求項６記載のプリンタ。
【請求項８】
外部からデータ上の画像を取得して操作を待たずに当該画像をプリント出力するとともに、当該画像を不揮発性メモリに保存するプリンタにおいて、
前記不揮発性メモリが、保存可能枚数よりも一枚分以上多い画像保存領域を有するものであることを特徴とするプリンタ。
【請求項９】
一番最後に保存した画像保存領域を示すフラグを前記不揮発性メモリ内に設けた事を特徴とする請求項８記載のプリンタ。
【請求項１０】
一番最初に保存した画像保存領域を示すフラグを前記不揮発性メモリ内に設けた事を特徴とする請求項８記載のプリンタ。
【請求項１１】
各画像保存領域が各々何番目に保存されたのかを示すフラグを前記不揮発性メモリ内に設けたことを特徴とする請求項８記載のプリンタ。
【請求項１２】
前記不揮発性メモリに保存されている画像のうちの一番最初に保存された画像を、外部からの新たな画像取得終了前に消去開始する画像消去部を備えたことを特徴とする請求項８記載のプリンタ。
【請求項１３】
外部からの新たな画像の取得の終了を受けて、前記画像消去部による、前記不揮発性メモリに保存されている画像のうちの一番最初に保存された画像の消去が完了しているか否かを確認し、新たに取得した画像を、前記不揮発性メモリに、消去が完了していたときは直ちに保存し、消去未了のときは前記画像消去部による消去完了後に保存する画像保存部を備えたことを特徴とする請求項８記載のプリンタ。
【請求項１４】
前記画像保存部は、新たに取得した画像がプリント出力可能な画像であるか否かを判定し、プリント出力可能なものであった場合のみ、該新たに取得した画像を前記不揮発性メモリに保存するものであることを特徴とする請求項８記載のプリンタ。
【発明の詳細な説明】
【技術分野】
【０００１】
本発明は、外部から画像データを取得してその画像データに基づく画像をプリント出力するとともに、今回取得した画像データを格納しておき再プリントの指示を受けてその画像データに基づく画像を再度プリント出力するプリンタに関する。
【背景技術】
【０００２】
最近の携帯電話機にはカメラを備えたものがあり、そのカメラで撮影した画像を携帯電話機内のメモリーカードなどに画像データとして保存することもできる。ユーザがこの携帯電話機内に保存された画像データに基づく画像の記録を記録媒体上に行いたいと思ったときには、たとえばそのメモリカードをプリンタに装填して画像の記録を記録媒体たとえば印画紙上に行なったり、専用のアダプタを使用して携帯電話機をパーソナルコンピュータに繋いでパーソナルコンピュータ上で画像を得て、記録媒体上たとえば普通紙上に画像の記録を行なったりしている。このようにメモリカードに画像データが記録されてさえいれば、何枚もの普通紙上または印画紙上に何枚でも画像の焼き増しが行なえる。このパーソナルコンピュータ内などに配備される画像形成装置の中には、簡単な操作で焼き増しが行なえるにように工夫を施したものがある。（例えば特許文献１参照）。
【０００３】
しかし、携帯電話機を使用するユーザにとっては、わざわざメモリカードやアダプタを使用しなくても、携帯電話機を操作するだけで普通紙上や写真フィルム上に画像の記録を行なえないものかと思う人もいる。
【０００４】
そこで、特許文献２のものでは、赤外線通信を用いて無線で画像データをプリンタに送信してプリンタ内に装填されているインスタントフィルムシート上に画像データに基づく画像をプリントして出力するプリンタを提案している。このプリンタでは、外部から画像データを取得してその画像データに基づく画像をプリント出力するとともに、再プリントの指示を受けてその画像データに基づく画像の焼き増しを行なうことができるようにもしている。
【０００５】
ところで携帯プリントなどのような常時使用されずにプリントを行ないたいときにだけ使用されるプリンタにあっては消費電力の低減を図ることが必要不可欠である。さもないとユーザがプリントしたいときに電池がなくなってしまうことが多くなり電池を頻繁に取り替えなければならなくなる。
【０００６】
そこで、この特許文献２のプリンタでは、オートパワーオフ機能を搭載して消費電力の低減を図ろうとしている。この特許文献２のプリンタではオートパワーオフ機能を有効に働かせるため、プリント出力用の画像データの格納領域となる揮発性メモリのほか、オートパワーオフ時に焼き増し用の画像データの退避領域となる不揮発性メモリを配備している。このように退避領域となる不揮発性メモリを配備しておくと、オートパワーオフにより電源が遮断されようとしているときに揮発性メモリ内の焼き増し用の画像データをいち早くその不揮発性メモリに退避させることができる。
【０００７】
この不揮発性メモリの記憶容量が画像１枚分の容量しかない場合には不揮発性メモリへの記録を行なう前には必ず不揮発性メモリの消去を行なわなければならないため、上記特許文献２のものでは、赤外線通信により画像データが送られてくる直前に消去を行なって、揮発性メモリにある画像データを不揮発性メモリに退避させることができるようにしている。
【０００８】
しかしながら、上記特許文献２の技術により不揮発性メモリの内容を赤外線通信直前に消去してしまうと、もしも赤外線通信がうまくいかなかった場合、赤外線通信中の画像データと不揮発性メモリ内の画像データとの双方が消失してしまう恐れがある。また、揮発性メモリに記憶した画像データをなるべく速く不揮発性メモリに退避させるようにしないと、電池が抜かれるなどの事故が起きた場合に揮発性メモリ内の画像データが消失してしまう恐れがある。さらに赤外線通信直前に不揮発性メモリの内容を消去しようとするとユーザには消去処理を含めた時間が赤外線通信時間とみなされてしまって赤外線通信に要する時間が長すぎるという印象を持たせかねない。
【特許文献１】特開平６−２２７０５８号公報
【特許文献２】特開２００５−１４２３４号公報
【発明の開示】
【発明が解決しようとする課題】
【０００９】
本発明は、上記事情に鑑み、赤外線通信に要したとみなされる時間をいままでよりも短く抑えるとともに電池が抜かれるなどの事故が起きても焼き増し用の画像データの消失する危険性が極めて低いプリンタを提供することを目的とする。
【課題を解決するための手段】
【００１０】
上記目的を達成する本発明の第１のプリンタは、外部からデータ上の画像を取得してそのデータ上の画像をプリント出力するプリンタにおいて、
画像を保存する不揮発性メモリを備え、その不揮発性メモリが、保存可能枚数よりも１枚分以上多い画像領域を有するものであることを特徴とする。
【００１１】
上記本発明の第１のプリンタによれば、上記不揮発性メモリが保存可能枚数よりも１枚分以上多い画像領域を有するものであるので、新たに取得した画像データとその前に取得した画像データとの双方がその不揮発性メモリ内に確保される。もしも画像領域が満杯になったら、その新たに取得した画像（最新の画像の焼き増し用にもなる）を残したまま、空き時間にそれ以前に取得した画像を消去するようなことが行なえる。
【００１２】
ここで上記構成を持つプリントが、データ上の画像の取得を前述の赤外線通信により行なうものであるとすると、赤外線通信開始直前ではなく、それ以前の空き時間中に消去を早めに開始するようにすることができるようになるので赤外線通信に要したとユーザにみなされる時間をいままでよりも短くすることができるようにもなる。
【００１３】
すなわち、赤外線通信に要したとみなされる時間をいままでよりも短く抑えるとともに電池が抜かれるなどの事故が起きても焼き増し用の画像データの消失する危険性が極めて低いプリンタが実現される。
【００１４】
ここで、一番最後に保存した画像保存領域を示すフラグを上記不揮発性メモリ内に設けた態様であることが好ましく、一番最初に保存した画像保存領域を示すフラグを上記不揮発性メモリ内に設けた態様であることが望ましい。
【００１５】
そうすると、最後に保存した画像保存領域と一番最初に保存した画像保存領域が不揮発性メモリに設けられたフラグにより例えば画像消去部に対して示されるようになるので画像消去部がそのフラグを見にいって消去しても良い領域を確認してから消去処理を確実に行なうことができるようになる。
【００１６】
さらに、画像保存領域が多数の領域になる場合には、各画像保存領域が各々何番目に保存されたのかを示すフラグを上記不揮発性メモリ内に設けた態様であると良い。そうすると、最新の画像データは確保され、さらに上記空き時間にその最新の画像データ以外の画像データの消去処理が確実に行なえる。
【００１７】
また、上記したように、上記不揮発性メモリに保存されている画像のうちの一番最初に保存された画像を、外部からの新たな画像取得終了前に消去開始する画像消去部を備えた態様であることが好ましい。
【００１８】
上記画像消去部が、新たな画像取得終了前に消去開始するものであると、画像取得終了前に消去が終わる率が高くなる。もしも画像取得終了後になっても消去が未了であった場合には、画像取得終了後に消去処理を継続して行なえば良く、そのときの消去時間はさほど長くならない。
【００１９】
つまり、上記画像消去部は、できるだけ早い時期に消去開始するようにしておいて、例えば赤外線通信により外部からの送信要求があったら、まず赤外線通信の方を優先させて画像データの取得を行なった後、消去未了のときには画像データの取得後に継続的に消去処理を続行することもできる。
【００２０】
このように消去開始のタイミングが所定のタイミングに定められずに随時行なえるようになると、上記空き時間に消去処理を開始しておいて取得前に消去処理を終えておくことも、また消去処理が未了の場合には割込等により画像の取得処理を先に行なってから再び消去処理を行なうようなことも、また並列処理が行なえるハードウエアであった場合には消去処理と取得処理とを並行して行なうようなこともできる。
【００２１】
そうすると、いままでのように赤外線通信直前に消去が開始されて消去処理と赤外線通信処理とを加えた時間が赤外線通信に要した時間とユーザにみなされるようなことがなくなって、短時間のうちに赤外線通信を終えたかのようにユーザに思わせることができるようになる。
【００２２】
ここで上記画像消去部が上記のように機能するときには、この第１のプリンタが、さらに外部からの新たな画像の取得の終了を受けて、上記画像消去部による、上記不揮発性メモリに保存されている画像のうちの一番最初に保存された画像の消去が完了しているか否かを確認し、新たに取得した画像を、上記不揮発性メモリに、消去が完了していたときは直ちに保存し、消去未了のときは上記画像消去部による消去完了後に保存する画像保存部を備えた態様のものであることが好ましい。
【００２３】
上記したように上記画像消去部による消去開始のタイミングが早まっていることから上記画像保存部による保存（退避）処理の開始タイミングも早めることができるので、焼き増し用の画像データが消失する危険性は限りなく低くなる。
【００２４】
ここで、上記画像保存部は、新たに取得した画像がプリント出力可能な画像であるか否かを判定し、プリント出力可能なものである場合のみ、その新たに取得した画像を上記不揮発性メモリに保存する態様のものであると良い。
【００２５】
この態様のものであると上記第１のプリンタにあっては出力可能な画像のみを上記不揮発性メモリに記憶することができるので、上記不揮発性メモリの容量の無駄使いが防止され、必要な画像データ（例えば焼き増し用）の確保が確実に行なわれるようになる。
【００２６】
また、上記目的を達成する本発明の第２のプリンタは、外部からデータ上の画像を取得して操作を待たずに当該画像をプリント出力するとともに、当該画像を不揮発性メモリに保存するプリンタにおいて、
上記不揮発性メモリが、保存可能な枚数よりも一枚分以上多い画像保存領域を有するものであることを特徴とする。
【００２７】
上記本発明の第１のプリンタに対して本発明の第２のプリンタは、前述した携帯プリンタに対応するものであって、この第２のプリンタにおいても、上記第１のプリンタと同様の効果が得られる。
【００２８】
ここで上記本発明の第２のプリンタにおいても、上記第１のプリンタのように、一番最後に保存した画像保存領域を示すフラグを前記不揮発性メモリ内に設けた態様であることが好ましく、一番最初に保存した画像保存領域を示すフラグを上記不揮発性メモリ内に設けた態様であることが望ましい。
【００２９】
また、画像保存領域が多数の領域になる場合には、各画像保存領域が各々何番目に保存されたのかを示すフラグを上記不揮発性メモリ内に設けた態様であると良い。そうすると、一番最後に保存した最新の画像は確保され、上記空き時間にその最新の画像以外の画像の消去処理を行なうことができるようになる。
【００３０】
また、上記不揮発性メモリに保存されている画像のうちの一番最初に保存された画像を、外部からの新たな画像取得終了前に消去開始する画像消去部を備えた態様であることが好ましく、外部からの新たな画像の取得の終了を受けて、上記画像消去部による、上記不揮発性メモリに保存されている画像のうちの一番最初に保存された画像の消去が完了しているか否かを確認し、新たに取得した画像を、上記不揮発性メモリに、消去が完了していたときは直ちに保存し、消去未了のときは上記画像消去部による消去完了後に保存する画像保存部を備えた態様であることが望ましい。
【００３１】
さらに、上記画像保存部は、新たに取得した画像がプリント出力可能な画像であるか否かを判定し、プリント出力可能なものである場合のみ、その新たに取得した画像を前記不揮発性メモリに保存するものであることが好ましい。
【００３２】
ここで本発明のプリンタは、以下の態様のものであっても良い。
【００３３】
上記目的を達成する本発明のプリンタは、外部から画像データを取得して該画像データに基づく画像をプリント出力するとともに、今回取得した画像データを取得しておき再プリントの指示を受けて該画像データに基づく画像を再度プリント出力するプリンタにおいて、
揮発性メモリと、
外部から画像データを取得して上記揮発性メモリに格納する画像データ取得部と、
上記揮発性メモリに格納された画像データに基づく画像をプリント出力するプリント出力部と、
画像複数枚分の画像データを格納する記憶容量を有する不揮発性メモリと、
上記揮発性メモリと上記不揮発性メモリとの間で画像データを転送する画像データ転送部と、
上記揮発性メモリに格納されている画像データに基づく画像のうちの最新に格納された画像データを残したまま少なくとも画像一枚分の画像データを消去する画像消去部と、
電源投入の指示を受けて電源を投入するとともに電源遮断の指示を受けて電源を遮断する電源制御部と、
上記画像取得部により画像データが新たに取得されて上記揮発性メモリに格納されたことを受けて前記プリント出力部にプリント出力を指示するとともに、再プリントの指示を受けて、上記揮発性メモリが空のときは上記画像転送部に、上記不揮発性メモリに格納されている画像データのうちのその不揮発性メモリに最新に格納された画像データを上記揮発性メモリに転送させた上で、上記プリント出力部にプリント出力を指示するプリント出力シーケンス制御、および
上記画像取得部による次の画像データの取得を待たずに上記画像消去部を動作させ、電源遮断指示を受けて、上記電源制御部による電源遮断の実行に先立って上記不揮発性メモリの画像一枚分の領域の消去が未完了のときはその消去を完了させた上で、上記画像転送部に、上記揮発性メモリに画像データが格納されていたその画像データを上記不揮発性メモリに転送させる画像退避シーケンス制御の双方を実行するシーケンス制御部とを備えたことを特徴とする。
【００３４】
上記本発明のプリンタによれば、上記不揮発性メモリが画像複数枚分の画像データを格納する記憶容量を有するものであるため、上記画像消去部はその不揮発性メモリに格納されている画像データに基づく画像のうちの最新に格納された画像データを残したまま少なくとも画像一枚分の画像データを消去することができる。つまり、焼き増し用の画像データとなる最新の画像データは不揮発性メモリ内に常時確保される。
【００３５】
また、上記画像取得部による次の画像データの取得を待たずに上記画像消去部を動作させることができるので、例えば赤外線通信前に消去処理を行なわせておくようなこともできる。そうすると、赤外線通信に要する時間がいままでのように消去処理を加えたものにならなくなって純粋に赤外線通信のみの時間となり今までに比べると赤外線通信に要したとみなされる時間が確実に短くなる。
【００３６】
すなわち、上記態様のプリンタによれば、赤外線通信に要したとみなされる時間をいままでよりも短く抑えるとともにに電池が抜かれるなどの事故が起きても焼き増し用の画像データの消失する危険性が極めて低いプリンタが実現される。
【００３７】
ここで、上記シーケンス制御部は、電源遮断指示を受けた場合のほか、上記揮発性メモリに画像データが格納されている状態において外部からの新たな画像データの送信要求があった場合に、上記画像消去部による、上記不揮発性メモリの画像１枚分の領域の消去が未完了のときはその消去を完了させた上で、上記画像転送部に、上記揮発性メモリに格納されている画像データを上記不揮発性メモリに転送させて、上記画像取得部に新たな画像データの取得および上記揮発性メモリへの格納を行なわさせるものであることが好ましい。
【００３８】
上記シーケンス制御部は、上記揮発性メモリに画像データが格納されている状態において、すなわちまだ画像を退避させていない状態にあるときに、新たな画像データの送信通知を受けたときには、まず上記画像消去部に不揮発性メモリ内の画像データを完全に消去させてから上記画像転送部に揮発性メモリ内の画像データを不揮発性メモリに転送させた後、上記画像取得部に新たな画像データの取得および揮発性メモリへの格納を順次行なわせることができる。
【００３９】
そうすると、連続的にプリントが行なわれるような場合においても、焼き増し用の画像データの確保が先ず行なわれ、その後新たな画像データの取得が行なわれるようになるので、焼き増し用の画像データが消失してしまうようなことはほぼ起こらなくなる。
【００４０】
また、上記画像取得部により取得されて上記揮発性メモリに格納された画像データが上記プリント出力部によるプリント出力が可能な適合画像データであるか否かを判定する適合画像判定部を備え、
上記プリント出力部は、上記揮発性メモリに格納された画像データが適合画像データである場合にのみその画像データに基づく画像をプリント出力するものであり、
上記画像転送部は、上記揮発性メモリに格納された画像データが適合画像データである場合にのみその画像データを上記不揮発性メモリに転送するものであることが好ましい。
【００４１】
上記適合画像判定部を設けることによってこのプリンタではプリント出力することができないような画像データであった場合にプリント出力禁止の処理が行なえるようになる。
【００４２】
なお、不揮発性メモリの容量があまり大きくなり過ぎると、外形も大きくなりプリンタが大型化し、さらにコスト高を招く恐れがあるので、上記不揮発性メモリは、画像２枚分の画像データを格納する記憶容量を有する程度のものであれば充分である。
【発明の効果】
【００４３】
以上、説明したように、赤外線通信に要したとみなされる時間をいままでよりも短く抑えるとともに電池が抜かれるなどの事故が起きても焼き増し用の画像データの消失する危険性が極めて低いプリンタが実現される。
【発明を実施するための最良の形態】
【００４４】
以下、本発明の実施の形態について説明する。
【００４５】
図１は本発明の実施形態であるプリンタ１を、斜め前方から見た斜視図である。
【００４６】
このプリンタ１は携帯電話機などと組み合わされて使用されるものであって、携帯電話機から送信されてくる画像データをこのプリンタで受信してインスタントフィルムシート上に画像の記録を行なうものである。ここでは記録媒体としてインスタントフィルムシートを使用しているが、普通紙であっても良い。
【００４７】
前述したように、携帯電話機にはＩｒＤＡに準拠した赤外線通信を行なえるものがあり、この赤外線通信を使用して自分の持つ情報を他の情報機器へ送信することができ、カメラ付き携帯電話機であれば、画像データをこのプリンタに送信することができる。
【００４８】
本発明のプリンタ１は、例えばカメラ付き携帯電話機で撮影された画像を表わす画像データまたはメールなどで携帯電話機に送信されてきた画像データが赤外線通信を用いてこのプリンタに送信されてきたときに、その画像データに基づいてインスタントフィルムシート上に画像の記録を行なってプリント出力するものであり、携帯電話機から再送信をわざわざ行なわなくても、プリントスイッチ１２を押すという操作により焼き増しが簡単に行なえるものである。
【００４９】
本実施形態のプリンタの構成を、図１を参照して説明する。
【００５０】
このプリンタ１は可搬型であって携帯電話機とこのプリンタ双方を手に持って画像の記録を行なうことが可能な程度の小型かつ軽量の構造を有するものである。このプリンタ１の筐体１ａ内にインスタントフィルムパックが装填され、そのインスタントフィルムパック内の、積層された多数のインスタントフィルムシート一枚一枚に画像の記録が行なわれる。
【００５１】
プリンタ１の筐体１ａの上面には、このプリンタ１の電源の投入および遮断を指示する電源スイッチ（以下電源ＳＷという）１１やプリントスイッチ（以下プリントＳＷという）１２やプリントデータ補正スイッチ（以下プリントデータ補正ＳＷという）１３が設けられている。また、中央には、ＬＣＤパネル１４が設けられており、このＬＣＤパネル１４上にインスタントフィルムシートの残り枚数やプリントデータ補正ＳＷ１３の内容が表示される。また、前述した赤外線通信により送信されてきた画像データを受光する受光素子１５が携帯電話機をこのプリンタに対向させ易い位置、ここでは筐体１ａの端部に配備されている。なお、この図１には図示してはいないが、このプリンタ１はシリアル通信用の通信ポートも持っている。
【００５２】
プリントＳＷ１２は、赤外線通信により送信されてきた画像データに基づく画像のプリントが終了した後、そのプリントが終了した画像と同じ画像を再度プリント出力する場合つまり焼き増しを行ないたい場合に操作されるものであり、プリントデータ補正ＳＷ１３は、インスタントフィルムシートに記録される画像の濃淡（Ｄａｒｋｅｎ  ｏｒ  Ｌｉｇｈｔｅｎ）を調節するためのものである。
【００５３】
このプリントデータ補正ＳＷ１３が操作によりＤａｒｋｅｎ側に切り換えられるとその画像データに基づく画像の全体のトーンがやや暗くなった画像がインスタントフィルムシート上に記録され、Ｌｉｇｈｔｅｎ側に切り換えられると全体のトーンがやや明るくなった画像がインスタントフィルムシート上に記録され、同じ構図の写真でありながら異なった趣の写真が得られる。
【００５４】
図２は後述する光学ヘッドによってそのインスタントフィルムシート上に潜像の記録が行なわれた後、そのインスタントフィルムシート１００１上の潜像が顕像化されながら、このプリンタの排出口からインスタントフィルムシート１００１が排出されているときの状態を示す図である。
【００５５】
このプリンタ１では、赤外線通信、またはシリアル通信により外部から送信されてきた画像データをこのプリンタ１により取得したら、その取得した画像データに基づく潜像の記録が露光によりインスタントフィルムシート上に行なわれ、図２に示すようにその潜像が記録されたインスタントフィルムシート１００１が顕像化されながら、プリンタ１外部へ排出される。その後プリントＳＷ１２が操作されたときにも、その画像と同じ画像の再プリント（焼き増し）が別のインスタントフィルムシート上に行なわれ、図２に示すようにインスタントフィルムシート１００１が排出される。
【００５６】
図３は、このプリンタ１を背面斜め後方から見た斜視図である。
【００５７】
このプリンタ１の背面側にはフィルムパック１００を装填するためのフィルムドア１０１ａが設けられており、このフィルムドア１０１ａが開けられ、フィルムパック１００がフィルム装填室１００ａに装填される。
【００５８】
また、このプリンタ１の電源となる電池１ｂが装填される電池装填室１０ｂもそのフィルム装填室１００ａの隣にある。この電池装填室１０ｂにもドアが設けられており、そのドアが開けられ電池１ｂが装填される。
【００５９】
フィルムドアの内側１０１ａにはバネ部材１０１１ａ，１０１２ａが２つ設けられており、これらのバネ部材１０１１ａ，１０１２ａによってフィルムパック１００内に積層されたインスタントフィルムシートがプリンタ１上面側（紙面裏側方向へ）に押されるようになっている。このような構成によってそのインスタントフィルムパック１００内のインスタントフィルムシートのうち、プリンタの一番上面側にあるインスタントフィルムシート１００１が排出口１１ａに近い位置にまで押し上げられ、その位置に押し上げられたインスタントフィルムシート上に焦点のあった光点が露光により多数記録される。
【００６０】
このようなプリンタ１の内部構成を説明する。
【００６１】
図４は、このプリンタ１の上面側のカバーを外してプリンタ内部を見た図である。
【００６２】
図４に示すように、プリンタ内部に装填されたインスタントフィルムパック内に積層されているインスタントフィルムシートのうち、一番上にあるインスタントフィルムシート１００１に対向する位置に光学ヘッド部１６が配設されている。
【００６３】
この光学ヘッド部１６の端部にはラック部材１６１が設けられており、そのラック部材１６１が、筐体１ａに回転自在に支持されているリードスクリュー１６１ａのネジに螺合している。また光学ヘッド部１６のラック部材１６１が設けられている側とは反対側にはガイド棒１６１１ａが設けられており、このガイド棒１６１１ａに光学ヘッド１６の端部が係合されている。このガイド棒１６１１ａによって光学ヘッド１６が案内されながら、リードスクリュー１６１ａとラック部材１６１の螺合により光学ヘッド１６が移動する。
【００６４】
また図４に示すように光学ヘッド１６にはフラットケーブル１７０が接続されており、このフラットケーブル１７０を介して後述する印刷制御部から画像データに応じた制御信号が供給される。この制御信号は光学ヘッド１６内の後述する液晶シャッタアレイの各シャッタのシャッタスピードを制御するものである。この各液晶シャッタのシャッタスピードが画像データに応じて制御され、ＲＧＢそれぞれに対応する光がインスタントフィルム上に照射され、インスタントフィルムの幅方向に４８０個の光点（ドット）からなる潜像が記録される。以降の説明においてはこの幅方向つまり一次元的に各シャッタが配列されている方向を、主走査方向という。したがってこの各シャッタが主走査方向に電子的に走査されて１ライン分の４８０の光点がインスタントフィルムシート１００１上に記録される。この光学ヘッド１６の電子走査によってインスタントフィルム１００１の主走査方向に４８０ドットからなる光点が記録されたら、後述する印刷制御部からの制御信号に基づいてステッピングモータ１６２ａが駆動されてリードスクリュー１６１ａが所定の角度回転して、今度はその主走査方向と交わる方向に光学ヘッド１６によって４８０ドットづつ光点が順次記録されていく。以降の説明ではこの主走査方向と交わる方向を副走査方向という。この副走査方向には、光学ヘッドの１回の主走査で記録される光点４８０ドット分を１ラインとして６４０ラインの光点がインスタントフィルム全体に渡って記録される。
【００６５】
この光点の集まりによって画像を表わす潜像が記録されたら、展開ローラ１７によりインスタントフィルムシート１００１を挟み込んでインスタントフィルム内の現像剤をインスタントフィルムシート１００１全体に展開させ、潜像を顕像化させながらプリンタ外部へと排出する。このインスタントフィルムシート１００１は自己現像処理型感光材料であり、インスタントフィルム１００１が展開ローラ１７で挟み込まれるとインスタントフィルム内に充填されていた現像剤がインスタントフィルムシート全体に均一に展開され、フィルムシート上の潜像が顕像化されるものである。このように光学ヘッドによってインスタントフィルム上に、所定の副走査方向に移動しながらその副走査方向に交わる主走査方向に並んだ光点を画像データに応じて照射することによりそのインスタントフィルム上に潜像が記録される。
【００６６】
ここで光学ヘッド１６の構成を、図５を参照して説明しておく。
【００６７】
図５は光学ヘッドの構成を示す模式図である。
【００６８】
この図５には導光板１６４の端部に配設された発光素子１６３Ｒ，１６３Ｇ，１６３Ｂの配列順序と、インスタントフィルム上に光点となって照射されるＲ、Ｇ、Ｂの光の進行方向が矢印によって模式的に示されている。
【００６９】
図５に示すように、この光学ヘッド１６は光の３原色であるＲ，Ｇ，Ｂそれぞれの発光素子１６３Ｒ，１６３Ｇ，１６３Ｂと、導光板１６４と、前述した液晶シャッタアレイ１６５と、レンズ１６６とからなる。
【００７０】
図５に示すように、３原色の発光素子１６３Ｒ，１６３Ｇ，１６３Ｂそれぞれが導光板１６４の端部に配設されており、それらの発光素子で発光された光がその導光板１６４によってインスタントフィルム１００１側に導かれる。このインスタントフィルムシート１００１側に導かれた光の進路が導光板１６４によって変更され、インスタントフィルムシート１００１上に照射される。この照射された光は液晶シャッタアレイ１６５の各シャッタを通り、その先にあるセルフォックレンズ（登録商標）１６６を通ってインスタントフィルム１００１まで達する。このように液晶シャッタアレイ１６５の各シャッタによって光量が調節された光が、セルフォックレンズによってインスタントフィルム上に収束されて焦点のあった光点がインスタントフィルム上に多数記録される。ここでは４８０素子の液晶シャッタアレイを用いて画像データに応じて各シャッタのシャッタスピードを制御することで画像データに応じた階調を持つ４８０の光点がインスタントフィルム上に記録される。これが副走査方向にも６４０ライン分記録され、４８０×６４０（ＶＧＡサイズ）の光点がインスタントフィルム上に潜像として記録される。この潜像は、Ｒ，Ｇ，Ｂの３色の光をレンズ１６６によって同一の光点に記録させたカラー画像を表わす潜像である。
【００７１】
ここで、図１のプリンタ内部の構成および動作を説明する。
【００７２】
図６は、プリンタ内部の構成を示すブロック図である。
【００７３】
このプリンタの動作は、ＣＰＵ１８０により統括的に制御されている。本実施形態のＣＰＵ１８０は、図６に示す画像処理部１８２、印刷処理部１８３、展開モータドライバ１７ａに順序良く処理を行なわせるように指示を与えるとともに、画像処理部の外部Ｉ／Ｆで受信した画像データをＲＡＭに格納したり、そのＲＡＭ１８４に格納した、一枚分の画像データを画像処理部１８２に転送したり、画像処理部１８２で信号処理した、一枚分の画像データを印刷処理部１８３に転送したりした後、さらに展開モータドライバによりインスタントフィルムシートを搬送させてプリント出力させるようなプリント出力シーケンス制御を行なっている。また、プリント出力後においてはＲＡＭに画像データを格納したままにしておくと電源が遮断された場合に画像データが消えてしまうので、ＣＰＵ１８０は、電源遮断時にＲＡＭ１８４からＦＬＡＳＨＭＥＭＯＲＹ１８５に一枚分の画像データを退避させたり、電源再投入時にはＦＬＡＳＨＭＥＭＯＲＹ内の一枚分の画像データをＲＡＭ１８４に復帰させたりする画像退避シーケンスおよび画像復帰シーケンス制御もあわせて行なっている。このＣＰＵ１８０が前述のシーケンス制御部にあたり、また画像転送部にもあたる。
【００７４】
以降図６を参照して構成と動作を説明する。
【００７５】
上記ＣＰＵ１８０には図１に示した各種スイッチ１０が接続されており、これらの各種スイッチ１０の操作に応じて図６各部の制御を行なう。この各種スイッチのうち、電源ＳＷ１１が投入された後、赤外線通信またはシリアル通信により画像データが外部から送られてきてこのプリンタ１が画像データを取得したときには各種スイッチ１０のプリントＳＷ１２の操作に拠らずＣＰＵ１８０は、一連のプリントに係るプリント出力シーケンス制御を実行する。
【００７６】
このＣＰＵ１８０には、光学ヘッド１６の記録開始位置を検出する原点センサ１８０Ｂと、光学ヘッド１６の終端位置を検出する終端センサ１８０Ｃからの検出信号が供給されており、これらの位置センサからの検出信号がプリント出力シーケンス制御を行なうＣＰＵ１８０に供給されプリンタ出力シーケンスの一部となるインスタントフィルムシートへの潜像の記録に係るシーケンスの開始と終了とがＣＰＵ１８０に順序良く検知されるようになっている。したがって、これらのセンサの検出結果に基づいて流れるようにシーケンスがＣＰＵ１８０によって制御されることとなる。
【００７７】
なお、光学ヘッド１６の温度を検出する温度センサ１８０Ａからの検出信号も供給されてきており、その温度センサ１８０Ａからの検出信号つまり光学ヘッドの動作温度に応じて印刷制御部１８３に光学ヘッド１７内の各シャッタのシャッタスピードを制御させてもいる。
【００７８】
ここで、電源ＳＷ１１が投入された後、外部から画像データが送信されてきたときに、ＣＰＵ１８０がどのような動作を各部に行わせるかを説明する。
【００７９】
赤外線通信により画像データが外部からこのプリンタ１に送られてきたときには、外部Ｉ／Ｆ１８２１を有する画像処理部１８２がその赤外線を受光素子１５によって受光したときにＣＰＵ１８０に対し受信有りの信号を出力する。ＣＰＵ１８０はこの信号を受けて外部Ｉ／Ｆ１８２１を通して画像処理部１８２に新たな画像データの受信を行なわせ、その受信させた画像データをバスを介してＲＡＭ１８４に記憶する。
【００８０】
ＣＰＵ１８０がＲＡＭ１８４に画像データを記憶し終えたら、今度は画像データを読み出して画像処理部１８２に転送し、画像処理部１８２にプリントデータを生成させる。なお、このプリントデータとは画像処理部で適当な処理を施し、光学ヘッド１７の各シャッタのシャッタスピードを制御することができるようになったデータを指しており、上記画像取得部により取得された画像データとは異なる。以降の説明においては、双方のデータを区別するため、プリントデータに対し、上記画像取得部により取得され、ＲＡＭに格納された画像データをプリント前データと呼ぶ。
【００８１】
ＣＰＵ１８０は、画像処理部１８２に画像一枚分のプリントデータを生成させたら、今度はそのプリントデータを印刷処理部１８３に転送して印刷処理部に各シャッタのシャッタスピードの制御を行なわせる。そうすると、そのプリントデータに応じて、主走査方向に配列されている各シャッタの開口時間つまりシャッタスピードが制御され、各シャッタを通過するＲ，Ｇ，Ｂ３色の光量がそれぞれ調節される。さらに印刷処理部１８３に、ステッピングモータドライバ１６２１ａを制御させ、ステッピングモータ１６２ａにより光学ヘッド１６を副走査方向に走査させ、その走査の度にプリントデータに応じて各シャッタのシャッタスピードを、印刷処理部１８３に制御させ、副走査方向の各光点の光量をそれぞれ調節させる。このようにしてすべての光点の光量を調節させ、それらの光点の集まりからなる画像を表わす潜像をインスタントフィルムシート上に記録させる。この画像記録部によってインスタントフィルム上に潜像を記録させた後、ＣＰＵ１８０は電源部１８１の出力をオフさせ、今度は展開モータドライバ１７ａにより展開モータ１７を駆動させる。
【００８２】
この展開モータ１７により展開ローラを回転させ、インスタントフィルムを挟み込ませながら、現像液をインスタントフィルム全体に展開させ、潜像を顕像化させてインスタントフィルムをプリンタ外部へと排出させる。
【００８３】
以上が、電源ＳＷ１１により電源が投入された後、赤外線通信またはシリアル通信により画像データが送られてきたときにプリント出力シーケンス制御を行なうＣＰＵ１８０が各部に行なわせる処理である。
【００８４】
またプリントＳＷ１２が操作されたときにも、ＣＰＵ１８０はそのプリントＳＷ１２の操作を受けて、プリント出力シーケンス制御を行なってインスタントフィルムをプリンタ外部へと排出させる。
【００８５】
このように本実施形態のプリンタによれば、新たな画像データのプリント出力と焼き増し用のプリント出力との双方が簡単に行なえる。
【００８６】
ここで本実施形態のプリンタ１では、オートパワーオフモードを搭載してプリント出力された後、所定の時間が経過すると自動的に電源を遮断することにより消費電力の低減を図ろうとしている。このため電源遮断時にＲＡＭ１８４の画像データが消えてしまうので、本実施形態のプリンタ１には、画像データの退避、復帰という処理を行なえるように不揮発性メモリであるＦＬＡＳＨＭＥＭＯＲＹ１８５が配備されている。本実施形態においては、このＦＬＡＳＨＭＥＭＯＲＹ１８５に２枚分の画像データを格納することができる容量のものを用いて最新のデータは消去を行なわずにそのままにしておくことで焼き増し用の画像データの消失という上記課題を解決している。
【００８７】
この画像データの退避、復帰、さらにＦＬＡＳＨＭＥＭＯＲＹ内の画像データの消去といった画像退避シーケンス制御も行なうＣＰＵ１８０が上記課題をどのように解決したかを、以降のフローチャートを参照しながら説明する。
【００８８】
図７は、ＣＰＵ１８０が行なう処理の手順を示すフローチャートである。
【００８９】
図７にはメインプロセスが示されている。
【００９０】
図８から図１６には図７に示すメインプロセスの各ステップの処理の詳細が示されている。順次説明していくフローの中で退避処理、復帰処理、消去処理内容を随時説明する。
【００９１】
まず、図７を参照してＣＰＵ１８０が行なうメイン処理を説明する。
【００９２】
電池１ｂが投入されたら、まずステップ７０１で各部の初期設定を行なう。この初期設定によってＣＰＵ１８０に供給されるクロックの発振周波数の設定を行なう。このＣＰＵ１８０は、低消費電力モードを有しており、この低消費電力モードのときには遅いクロックで動作する。
【００９３】
ステップＳ７０２で、電源ＳＷ１１が投入されるのを待ち受け、電源ＳＷ１３が投入されたら、ステップＳ７０３で電源ＯＮ処理を行なう。この電源ＯＮ処理ではＬＣＤパネル上にメニューを表示したり、クロックのスピードを速めてＣＰＵ１８０の処理速度を上げることを行なう。
【００９４】
次のステップＳ７０４で、ＣＰＵ１８０側に入力される信号の状態が変化するのを待ち受ける待ち受け状態に移行する。
【００９５】
ここでは、ＣＰＵ１８０が、このＣＰＵ１８０に入力される信号の状態の変化を監視する項目として、プリントＳＷ１２、あるいはプリントデータ補正ＳＷ１３が操作され、ＯＮ側に切り換えられること、外部から送信されてきている画像データが外部ＩＦ１８２１で受信され受信信号が検出されること、電源ＳＷ１１がオフ側に切り換えられること、本実施形態のプリンタが有するオートパワーオフ機能が働くことを掲げている。また本実施形態のプリンタ１では、上記課題を解決するため、前述したように２枚分の画像を表わす画像データを格納する容量を持つＦＬＡＳＨＭＥＭＯＲＹ１８５を設けてそのＦＬＡＳＨＭＥＭＯＲＹ１８５内の２枚分の記憶領域のうちの一方の領域に格納されている、古い時刻に格納された方の画像データをできるだけ早いうちに消去してその消去した領域に受信した画像データをいち早く退避させることができるように改良している。このため、本実施形態のＣＰＵ１８０は、ステップＳ７０４の待ち受け状態のときにＦＬＡＳＨＭＥＭＯＲＹの各記憶領域の空き状態を確認するようなことも行なっている。こうしておくと、ＦＬＡＳＨＭＥＭＯＲＹ１８５に画像データが格納された状態にあるときには、待ち受け処理中に消去処理を終えておくこともできる。このように消去処理が完了していると、外部から新たな通信の要求があって画像データを取得してプリント出力した後、新たな画像データを焼き増し用の画像データとしていち早く退避させることができるようになる。そうすると電池が電池装填室から外れるような事故があったとしても焼き増し用の画像データが消失してしまうようなことがほとんど起こらなくなる。
【００９６】
なお、説明を簡略にするため、以降の説明においては上記ＦＬＡＳＨＭＥＭＯＲＹの２枚分の記録領域の一方をＡ領域、他方をＢ領域と記載して以下説明することとする。
【００９７】
このようにして待ち受け処理を行なっているときにＣＰＵ１８０がステップＳ７０５〜Ｓ７１１のうちのいずれかの状態に遷移したと判定したら、その遷移した状態に対応する処理を各部に行なわせる。
【００９８】
まずステップＳ７０５で、プリントデータ補正ＳＷがＯＮ側に操作されたことを受けて、プリントデータ補正ＳＷ処理プロセスを起動し、プリントデータ補正ＳＷの操作内容に応じた画像データの補正係数を画像処理部１８２にセットしてまた待ち受け状態に戻る。
【００９９】
また、携帯電話機から画像データが送信され、外部ＩＦ１８２１が画像データの受信を検出したことを受けて、ステップＳ７０６で赤外線通信プロセスを起動し、画像処理部１８２内の外部ＩＦ１８２１が受信状態になるように指示を出して画像データを取得させ、取得させた画像データをＲＡＭに記憶していく。ＲＡＭに画像データを記憶し終えたら、ステップＳ７１２からステップＳ７１４でプリント出力処理を各部に行なわせてインスタントフィルムを外部へと排出させる。ステップＳ７０７でシリアル通信により画像データを取得したときにもこのステップＳ７０６と同様の処理が行なわれる。
【０１００】
次に、プリントＳＷ１２が操作されＯＮ側に切り換えられた場合には、ステップＳ７０８でＣＰＵ内のタイマ値を参照してタイムオーバだったら、ステップＳ７０４の待ち受け状態に戻る。またタイマ値を参照して所定の時間以内だったら、ステップＳ７０９へ移行しプリントデータＲＡＭ展開処理プロセスを起動してＲＡＭに画像データを復帰させ画像データに基づく画像のプリント出力処理をステップＳ７１３からステップＳ７１５で各部に行なわせる。
【０１０１】
さらに、ステップＳ７１０あるいはステップＳ７１１で電源ＳＷ１１がｏｆｆ側に切り替えらるか、またはオートパワー機能が働いた場合には、ＣＰＵ１８０内の電源ｏｆｆ処理プロセスを起動し、不揮発性メモリの空き状況を調査してＡ領域あるいはＢ領域が空いていればＲＡＭ１８４に格納されている画像データをその空き領域に書き込むようにして画像データをＦＬＡＳＨＭＥＭＯＲＹに退避させる。また、空いていなければ消去動作継続し、消去完了後に書き込み処理を行なってステップＳ７０２に戻って電源スイッチの投入を待ち受ける。
【０１０２】
ここでは待ち受け処理中にいち早く消去処理が開始されているので消去処理が今までに比べて早めに終了するため、ほとんどの場合、すぐにＦＬＡＳＨＭＥＭＯＲＹ１８５に画像データを退避（保存）させることができるようになる。この例においてはＣＰＵ１８０が本発明にいう画像消去部および画像保存部の役目を担っている。
【０１０３】
このようにしておくと、赤外線通信に要したとみなされる時間をいままでよりも短く抑えるとともに電池が抜かれるなどの事故が起きても焼き増し用の画像データの消失する危険性が極めて低いプリンタが実現される。
【０１０４】
ここで待ち受け処理および待ち受け処理中の状態変化に応じて起動される各プロセスの処理内容を詳細に説明する。
【０１０５】
図８はステップＳ７０４の待ち受け処理の詳細を示すフローチャートである。
【０１０６】
このフローは繰り返し実行されており、いずれかの状態が変化したらその状態に対応するいずれかのプロセスが起動される。
【０１０７】
まず、ステップＳ８０１で、赤外線通信、シリアル通信により画像データが送信されてきたかどうかの待ち受けを行なうに当たり、電源部から外部ＩＦに電力を供給させて双方の通信部をＯＮさせる。
【０１０８】
ステップＳ８０２からステップＳ８０８で、図７のフローチャートのステップＳ７０４に示す待ちうけ処理を行なう。
【０１０９】
ステップＳ８０２で待ち受け処理Ｓ７０５〜Ｓ７１１中のうち、プリントＳＷ１１が操作されてＯＮしたことを検知したら、ステップＳ８１０へ進み、タイマ値を判定する。このタイマは図７のステップＳ７１２でプリント処理プロセスが起動してインスタントフィルムの排出が完了した後スタートするものであって、このタイマ値が所定の時間以上になってタイムオーバになっていたらステップＳ８０２へ戻る。このステップＳ８０２で所定の時間以内であることを検知したら、ステップＳ８１１でＲＡＭ展開処理プロセスにジャンプしてＲＡＭ展開処理プロセスを起動する。前述したようにプリントＳＷ１１が操作されたときには、画像の焼き増しが行なわれるが、時間が経過している場合にはそのプリントＳＷの操作が誤操作である可能性もある。そこで、ステップＳ８０８でタイマ値を検出してから、プリントデータＲＡＭ展開処理へと進めている。ここでは、このタイマの判定結果に応じては、待ち受け状態に戻ってＲＡＭの展開処理を行なわずに再プリントを禁止する処理を行なっている。
【０１１０】
次のステップＳ８０３でプリントデータ補正ＳＷが操作されＯＮ側に切替られたことを検知したら、プリントデータ補正ＳＷ処理プロセスへジャンプしてステップＳ８１２で画像処理部１８２内のプリントデータ補正ＳＷ処理プロセスを起動する。前述したようにプリントデータ補正ＳＷ１３は、画像の濃淡を調節するものであるので、このプリントデータ補正ＳＷ１３が操作されたら、プリントデータ補正ＳＷプロセスを起動して、画像処理部１８２に画像データを補正するためのパラメータ設定を行なう。
【０１１１】
次のステップＳ８０４で外部ＩＦ１８２１からの検出信号に基づいて赤外線通信要求があることをＣＰＵ１８０が検知したら、ステップＳ８１１で赤外通信処理プロセスへジャンプして赤外線通信処理プロセスを起動する。ここでは、例えば携帯電話機からプリンタの受光部１５に向かって赤外線により画像データが送信されると、受光素子１５を経由して画像処理部１８２内の外部ＩＦ１８２１に画像データが供給され、この外部ＩＦから受信有という検出信号が出力されるので、この検出信号を以って赤外線通信要求として赤外通信処理プロセスを起動するようなことを行なっている。
【０１１２】
次のステップＳ８０５もステップＳ８０４と同様でシリアル通信によって画像データが送信されてきたことを外部ＩＦで受け、受信有という信号がその外部ＩＦを有する画像処理部１８２から出力されたことを以ってシリアル通信処理プロセスを起動して画像処理部１８２内の外部ＩＦ１８２１を通して画像処理部１８２に画像データを受信させる。
【０１１３】
上記ステップＳ８０４とステップＳ８０５で画像データが取得された場合には、プリンタＳＷの操作を待たずに、すぐに印刷処理部１８３にインスタントフィルムシート上への潜像の記録を行なわせた後、展開モータ１７を駆動してインスタントフィルムシートに現像液を展開させながらインスタントフィルムシートをプリンタ外部へと排出させる。
【０１１４】
またステップＳ８０６では、電源ＳＷ１１がオフに切り換えられたことを以って、ステップＳ８１５でＣＰＵ１８０内の電源ｏｆｆ処理プロセスを起動する。
【０１１５】
またステップＳ８０７ではタイマによりタイムアウトが検知されオートパワーオフ機能が働いたことを以ってステップＳ８１６でオートｏｆｆ処理プロセスを起動する。
【０１１６】
このように、いずれかの入力状態が変化したら、いずれかのプロセスが起動される。
【０１１７】
さらに本実施形態では、前述したように不揮発性メモリであるＦＬＡＳＨＭＥＭＯＲＹ１８５の消去処理を待ち受け処理中に行なうようにしているため、ステップＳ８０８でＦＬＡＳＨＭＥＭＯＲＹ内の記憶領域に空きがあるかどうかを確認するようにして記憶領域に空きがない様だったらステップＳ８０９で古い時刻に記憶された、ＡあるいはＢ領域のうちのいずれかの画像データをできるだけ早く消去するようにしている。
【０１１８】
このように待ち受け処理中になるべく早く消去処理を開始しておいて、ＦＬＡＳＨＭＥＭＯＲＹ１８５に空き領域を作成しておくことで、新たに画像データを取得したときにおいてはいち早く消去した領域に焼き増し用の画像データを退避させることにより焼き増し用の画像データの消失を防止するようにしている。
【０１１９】
ここで図８のステップＳ８０９およびステップＳ８１１〜Ｓ８１６の画像データの消去処理および画像退避シーケンス処理の内容を簡単に説明しておく。
【０１２０】
図９は図８のステップＳ８０９の処理手順を示すフローチャートである。
【０１２１】
図８に示すステップＳ８０８で領域Ａ、領域Ｂとも空きフラグがＯＦＦ、つまり空きがない状態であったら、ステップＳ８０９でＦＬＡＳＨＭＥＭＯＲＹの消去処理を開始する。
【０１２２】
まず、ＣＰＵ１８０は消去処理を開始したら消去中フラグを立てて消去中である状態の変化をＣＰＵ１８０に通知することができるようにする。次にステップＳ９０１でその消去中フラグの内容をチェックする。このステップＳ９０１で消去中フラグがＯＮ状態（例えば１）のままであったら、消去中であると判定してＯＮ側へ進みステップＳ９０２で消去が完了したかどうかを判定する。次のステップＳ９０３で消去が完了したと判定したらＹｅｓ側に進んで消去中フラグをＯＦＦ（例えば０）に書き換える。そして次のステップＳ９０４で、最後に書き込まれた領域（つまり最新の画像データが格納されている領域）がＡあるいはＢのどちらの領域であるかを判定して、その領域がＡ領域側であったら領域Ｂの空きフラグをＯＮ（例えば１）にして、領域Ｂ側であったら領域Ａの空きフラグをＯＮ（例えば１）にして図８のルーチンに戻る。
【０１２３】
一方、ステップＳ９０１で消去中フラグがＯＦＦであると判定したら、次のステップＳ９０７でステップＳ９０４と同様、最後に書き込まれた領域（つまり最新の画像データ）がＡあるいはＢのどちらの領域であるかを判定して領域Ａ側であると判定したらステップＳ９０９で古い時刻に画像データが格納された方の領域Ｂ側の消去を開始し、領域Ｂ側であると判定したらステップＳ９０８で反対に領域Ａ側の画像データの消去を開始する。次のステップＳ９１０で消去中フラグをＯＮにして図８のルーチンに戻る。
【０１２４】
このようにしておくと、待ち受け中に消去が開始されていち早く消去が完了し、画像データが取得されてＲＡＭに格納されてプリント出力が行なわれた後すぐにＲＡＭ内の画像データを退避させることができる。
【０１２５】
図１０は、図８のステップＳ８１０のタイマ処理とステップＳ８１１のプリントデータＲＡＭ展開処理の処理手順を示すフローチャートである。
【０１２６】
まず、プリントＳＷが操作され、タイマ値が所定の時間以内であったら、ステップＳ１００１で赤外線通信、シリアル通信の送受信部を有する外部ＩＦの電源をＯｆｆして新規の画像データの受付を拒否する。
【０１２７】
ステップＳ１００２でＲＡＭ上にプリントデータがあるかどうかを判定してＲＡＭ１８４に画像データがあったらＹｅｓ側に進み、図７のルーチンに戻ってプリント処理へ進む。このステップＳ１００２でＲＡＭ１８４上に画像データがなかったらＮｏ側に進み、画像処理部１８２にＦＬＡＳＨＭＥＭＯＲＹ１８５からＲＡＭ１８４への画像データの読み込み（退避位置からの復帰動作）を行なわせる。この画像データの中にはプリントデータ補正ＳＷ１３の操作内容も書き込まれているので、次のステップＳ１００４で、その画像データの中からプリントデータ補正ＳＷ１３の操作内容をＣＰＵ１８０が受け取り、ＬＣＤパネル１４上にその情報を表示する。そして図７のルーチンに戻り、プリント出力処理へと進む。
【０１２８】
図１１は、図８のステップＳ８１２の処理手順を示すフローチャートである。
【０１２９】
ＣＰＵ１８０は、プリント補正ＳＷ１３がＯＮ側に切り換えられたことを検知して、検知した内容に基づいて画像処理部１８２に処理パラメータをセットする。このプリントデータ補正ＳＷ１３は通常Ｎｏｒｍａｌ状態にあるものが、１回押されるとＤａｒｋｅｎ（暗いトーン）、もう１回押されるとＬｉｇｈｔｅｎ(明るいトーン)、さらにもう１回押されるとまたＮｏｒｍａｌに戻るといったようにトグル動作を行なうのでＣＰＵ１８０はトグル操作の操作内容を判読して、ステップＳ１１０１で画像処理部１８２にその内容にあった処理パラメータをセットして、次のステップＳ１１０２でＬＣＤパネル１４上にプリントデータ補正ＳＷ１３の操作内容（Ｎ→Ｄ→Ｌなど）を表示する。このプロセスの処理を終了して図７のルーチンに戻る。
【０１３０】
図１２は、赤外線通信処理プロセスを示すフローチャートである。
【０１３１】
図８の待ち受け処理中にＦＬＡＳＨＭＥＭＯＲＹの空き具合を確認しているので満杯状態であったら消去処理が開始されいずれかの領域の画像データの消去が完了している可能性の方が高い。このため、この赤外線処理プロセスで受信した画像データを、プリント出力が終了次第ＦＬＡＳＨＭＥＭＯＲＹへ退避させることができる。
【０１３２】
すなわちシーケンス制御部であるＣＰＵは、電源遮断指示を受けた場合のほか、ＲＡＭに画像データが格納されている状態において外部からの新たな画像データの送信要求があった場合に、画像消去部であるＣＰＵによる、ＦＬＡＳＨＭＥＭＯＲＹの画像１枚分の領域の消去が未完了のときはその消去を完了させた上で、画像転送部であるＣＰＵに、ＲＡＭに格納されている画像データをＦＬＡＳＨＭＥＭＯＲＹに転送させて、画像取得部である画像処理部とＣＰＵとに新たな画像データの取得および上記揮発性メモリへの格納を行なわさせているのである。
【０１３３】
このことを前提として図１２のフローの処理を説明する。
【０１３４】
外部ＩＦを通じて赤外通信要求があった場合にまずステップＳ１２０１で携帯電話機とプリンタの間で通信を行うに当たり、外部ＩＦに携帯電話機と必要な情報交換を行なわせ、赤外線通信を行なえるように通信速度などの通信条件を交渉させる。この交渉が締結したらネゴシエーションが確立した内容に基づき、次のステップＳ１２０２で通信速度を表わすパラメータを外部ＩＦ１８２１にセットする。次のステップＳ１２０３で外部Ｉ／Ｆを通して画像処理部１８２に画像データの受信を行なわせその受信させた画像データを一旦ＲＡＭ１８４に書き込む。
【０１３５】
ステップＳ１２０４で外部ＩＦを含む画像処理部に受信させた画像データをＲＡＭ１８４に最後まで画像データを書き込んだかどうかを判定し、途中だったらＮｏ側へ進んで繰り返しステップＳ１２０４の処理を行なう。ステップＳ１２０４で画像データを最後までＲＡＭ１８４に書き込んだと判定したらＹｅｓ側に進んで電源部１８１の出力のうち、外部ＩＦ１８２１への電力供給をオフさせ、図７のルーチンに戻る。ステップＳ１２０４でデータの受信に失敗したことをＣＰＵ１８０がタイムオーバ等により検知したら、ＣＰＵ１８０はこのプロセスを直ちに終了させ通信失敗であるとして図７のルーチンに戻る。
【０１３６】
図１３は、シリアル通信処理プロセスのフローチャートである。
【０１３７】
シリアル通信により画像データが送信されてきたときにも図１２に示した赤外線通信の処理と同様の処理を行なう。
【０１３８】
図１４はＣＰＵ１８０が行なう電源ｏｆｆおよびオートｏｆｆ処理プロセスのフローチャートである。
【０１３９】
まず、ステップＳ１４０１で、不揮発性メモリの空きフラグを参照する。このステップＳ１４０１で空きフラグが領域Ａ、領域Ｂ共にＯＦＦであると判定したらステップＳ１４０２でＦＬＡＳＨＭＥＭＯＲＹ内の画像データを消去してステップＳ１４０１の処理を繰り返す。Ａ領域、Ｂ領域のうちの少なくとも一つの領域の空きフラグがＯＮになったら、次のステップＳ１４０３へ進んで画像データの書き込みを行なう。次のステップＳ１４０４で赤外線通信をＯｆｆし、シリアル通信をｏｆｆして次のステップＳ１４０５で画像処理部への電源供給もｏｆｆする。さらにステップＳ１４０６でＬＣＤパネルを消灯して、ステップＳ１４０７で低消費電力モードに切り替える。
【０１４０】
つまり、シーケンス制御部であるＣＰＵ１８０は、前述の画像取得部（画像処理部１８２）による次の画像データの取得を待たずに待ち受け処理中にＣＰＵ１８０内の画像消去部を動作させ、電源遮断指示を受けて電源制御部（電源部１８１）による電源遮断の実行に先立って不揮発性メモリ（ＦＬＡＳＨＭＥＭＯＲＹ１８５）の画像一枚分の領域の消去が未完了のときは消去を完了させた上で、ＣＰＵ１８０内の画像転送部に、揮発性メモリ（ＲＡＭ１８４）に画像データが格納されていた画像データを不揮発性メモリ（ＦＬＡＳＨＭＥＭＯＲＹ１８５）に退避させているのである。
【０１４１】
ここで、図１４のステップＳ１４０３の詳細を図１５を参照して説明する。
【０１４２】
図１５は、ＦＬＡＳＨＭＥＭＯＲＹの書き込み（退避処理）処理の手順を示すフローチャートである。
【０１４３】
ステップＳ１５０１で最後に書き込まれた領域は領域Ａ，領域Ｂのうちのどちらであるかを判定する。このステップＳ１５０１で領域Ａであると判定したら領域Ｂ側に進んでステップＳ１５０２で領域Ｂに画像データの書き込みを行なう。次のステップＳ１５０３へ進んでＬＡＳＴＷＲＯＴＥという変数領域に領域Ｂである旨を書き込んで次のステップＳ１５０４で領域Ｂの空きフラグをＯＦＦにして図１４のフローに戻る。
【０１４４】
ステップＳ１５０１で最後に書き込まれた領域は領域Ａ，領域Ｂのうちのどちらであるかを判定したときに領域Ｂであると判定したら領域Ｂ側に進んでステップＳ１５０５で領域Ａに画像データの書き込みを行なう。次のステップＳ１５０６へ進んでＬＡＳＴＷＲＯＴＥという変数領域に領域Ａである旨を書き込んで次のステップＳ１５０７で領域Ａの空きフラグをＯＦＦにして図１４のフローに戻る。
【０１４５】
ここまでで説明してきた待ち受け処理のうち、赤外通信処理プロセス、ＲＡＭ展開処理プロセスが起動されると、図７のフローチャートのステップＳ７１３からＳ７１５までのプリント出力処理が行なわれるので、図７のステップＳ７１３、Ｓ７１４、Ｓ７１５のプリント出力処理の詳細を説明しておく。
【０１４６】
図１６はステップＳ７１３のプリント前処理プロセスのフローチャート、図１７はステップＳ７１４のプリントデータ処理のフローチャート、図１８はステップＳ７１５のフィルム排出処理のフローチャートである。
【０１４７】
まず画像処理部が行なうプリント前処理を、図１６を用いて説明する。
【０１４８】
携帯電話機から送信され、受信したデータがどのような画像データであるかが分からないので、このフローではこのプリンタで画像の記録を行なうために必要な処理を行なう。
【０１４９】
ステップＳ１６０１で非圧縮データであるかどうかを判定する。ここで非圧縮データであれば画像データの伸張を行なう必要がないので、Ｙｅｓ側に進み、次のステップＳ１６０２へ移行する。ここで画像データが圧縮データであったらＮｏ側に進みステップＳ１６０３で圧縮データの伸張処理を画像処理部に行なわせる。次のステップＳ１６０２で、このプリンタ１での画像の記録に適した解像度であるかどうかを判定する。このプリンタ１に適した解像度である場合（例えば４８０×６４０のＶＧＡサイズである場合）には、Ｙｅｓ側に進み、次のステップＳ１６０５へと移行する。このプリンタ１に適した解像度でない場合（例えば縦横比が異なる場合）にはＮｏ側に進み、ステップＳ１６０４で解像度の変換を画像処理部に行なわせる。次のステップＳ１６０５でプリントデータ補正ＳＷが操作されていないかどうかを判定する。この画像データにプリントデータ補正ＳＷが操作されていない場合には、Ｙｅｓ側に進み、次のステップＳ１６０７へと移行する。ここでプリントデータ補正ＳＷにより画像データに補正が施されている場合には、次のステップＳ１６０８でプリントデータ補正処理を行なう。図１６には、輝度データＹにオフセット調整（±Ａ）を行なった場合の変換例が数式で示されている。
【０１５０】
そして次のステップＳ１６０７で画像の記録に適した色空間であるかどうかを判定する。ステップＳ１６０７で適さないと判定されたらＮｏ側に進み、輝度データＹおよびクロマデータＣからなる表示用画像信号（ＹＣ信号）である場合には、ステップＳ１６０８でＹＣ信号をＲＧＢ信号に変換する。そしてＲＧＢ信号からなるプリントデータを生成する。
【０１５１】
このプリントデータが画像処理部で生成されたら、印刷処理部にプリントデータが転送され、印刷処理部で画像の記録処理が行なわれる。
【０１５２】
図１７は印刷処理部のプリント処理プロセスのフローチャートである。
【０１５３】
ステップＳ１７０１でまず、印刷処理部に光学ヘッドの駆動部に当たるステッピングモータ１６２１ａと光学ヘッド１６への電力供給を行なわせ、次のステップＳ１７０２で印刷処理部１８３にステッピングモータ１６２１ａの駆動を開始させる。次のステップＳ１７０３で印刷開始タイミングであるかどうかを判定する。この印刷開始タイミングであるかどうかは、印刷処理部から各シャッタにデータを転送するタイミングを指しており、ここでは、光学ヘッド１６の位置が原点センサ１８０Ｂ側にあるかどうかを判定している。ステップＳ１７０４で、光学ヘッド１６が原点位置にあると判定したら、Ｙｅｓ側に進み、印刷処理部に光学ヘッドのシャッタ部のシャッタスピードの制御を開始させるためプリントデータの転送を開始させる。その転送されたプリントデータに応じて光学ヘッドの各シャッタのシャッタスピードを印刷制御部に制御させ、４８０ドット分の光点を記録する。この主走査方向の４８０ドット分の光点を光学ヘッドにより記録させたら、ステッピングモータを駆動させ、光学ヘッドの位置を１ライン分移動させ、次の主走査方向の１ライン分の光点を記録させる。さらに光学ヘッド１６をステッピングモータ１６２１ａにより１ライン分ずつずらして光点を次々と記録していく。
【０１５４】
次のステップＳ１７０５でプリントデータ終了かどうかを判定し、転送すべきプリントデータが印刷制御部１８３内に無かったら、Ｙｅｓ側に進み、ステップＳ１７０７へ移行する。転送すべきプリントデータがまだ印刷制御部１８３内にあったら、Ｎｏ側に進み、ステップＳ１７０６で印刷領域終了であるかどうかを判定する。ここでは画像の記録領域終了を示す終端センサ１８０Ｃの出力が変化していなかったらＮｏ側に進み、ステップＳ１７０５へと戻る。
【０１５５】
このステップＳ１７０６で終端センサの出力が変化して光学ヘッドの位置が印刷領域終了部にあると判定したら、Ｙｅｓ側に進み、ステップＳ１７０７へ移行する。
【０１５６】
ステップＳ１７０７で、印刷制御部１８３での光学ヘッド１６の制御を終了させ、プリントデータの転送を停止させる。ステップＳ１７０８で印刷制御部にステッピングモータ１６２１ａの駆動も終了させ、光学ヘッド１６への電力供給を停止させる。次のステップＳ１７１０でタイマをスタートさせ、次の画像の記録を行なうまでの時間の計時を開始する。この計時により、この画像の記録が行なわれた後、次の画像の記録が行なわれるまでの時間が計時される。このタイマでの計時結果が画像転送部および画像データ消去部に当たる画像処理部１８２に画像データの転送を行なわせるか否かまた画像データの消去を行なわせるか否かの判定基準となる。
【０１５７】
このフローの処理が終了したらインスタントフィルムの排出処理を開始させる。
【０１５８】
図１８はインスタントフィルムのフィルムの排出処理プロセスのフローチャートである。
【０１５９】
まずステップＳ１８０１で電源部１８１に出力をオフさせる。次のステップＳ１８０２で展開モータを駆動し、展開モータにより展開ローラを回転させる。次のステップＳ１８０３でフィルムの排出処理が終了したかどうかを判定する。インスタントフィルムの排出が検出されたら、展開モータの駆動を停止する。この排出の完了を検出するときには、通常の排出処理に要する時間以内（タイムアウト前）に、インスタントフィルムがプリンタ内部にないことがセンサで検出される。
【０１６０】
ここでフィルムの排出が完了し、Ｙｅｓ側に進んだら、次のステップＳ１８０４で展開モータをオフさせ、ステップＳ１８０５で赤外線通信、シリアル通信を有する外部ＩＦ１８２１への電力の供給を断つ。
【０１６１】
以上が画像データの画像の記録に係るプロセスである。
【０１６２】
このように携帯電話機から画像データを送信するだけで、画像データ取得部により取得した画像データに基づく画像の記録を行なえるプリンタが実現される。またプリントＳＷを操作するだけで、一度記録した画像の再記録を、１タッチ操作で何度でも行なえる。さらに、状況に応じて画像データを転送したり、消去したりしているので、再記録したい画像を表わす画像データが消失してしまうといったことや再記録したくない画像を再記録してしまうといったことがなくなり、使い勝手の良いプリンタが実現される。
【０１６３】
このようにして、メモリカードを使用しなくても、例えばカメラ付き携帯電話機で撮影した画像データに基づく記録媒体上への画像の記録、および何枚もの記録媒体上への再記録を簡単な操作で行なえる、使い勝手の良いプリンタが実現される。
【０１６４】
図１９、図２０は別の実施形態を示すフローチャートである。
【０１６５】
図１９の処理は図７の処理と全く同様のものであるが、外部から取得した画像データがプリント出力することができるものであるかどうかを赤外線プロセス処理中に判定ステップを設けて行なうように変更している。さらに待ち受け処理中に消去を開始したとほぼ同時に新たな通信要求があった場合には、消去処理を行なってから通信処理を行なうようにするとユーザに思った以上の時間の経過を感じさせてしまう場合もある。そこで、消去処理の開始とほぼ同時に新たな通信要求があった場合には、赤外線通信処理の方を優先的に行なうようにしておいて画像データを取得した後、ＦＬＡＳＨＭＥＭＯＲＹの消去処理を継続して実行し、さらにプリント出力後すぐにその消去した領域に画像データを退避させるようにしている。図２０には、そ７の赤外線通信処理がどのように変更されたかが示されている。図１９、図２０には変更箇所が分かるように変更箇所が示されている。
【０１６６】
図２０に示すように赤外線通信処理後、ステップＳ１２０６で画像処理部内の外部Ｉ／Ｆを通して受信した画像データの種別の確認を画像処理部に行なわせて、ステップＳ１２０７でその画像データがこのプリンタでのプリントが可能なデータであるかどうかを判定するようにしている。さらにプリント可能であった場合には、第１実施形態では待ち受け処理中に行なう様にしていた、ステップＳ１２０７〜Ｓ１２０９までの処理を赤外線通信処理プロセスで行なうように変更している。このステップＳ１２０７からステップＳ１２０９までの処理は、図１４のステップＳ１４０１〜Ｓ１４０２の処理と全く同じ処理である。
【０１６７】
この例においては、待ち受け処理中に消去を開始しておいて消去が完了していればそのままＦＬＡＳＨＭＥＭＯＲＹ１８５への退避処理に移り、そうでなければ赤外線通信終了後に再びＦＬＡＳＨＭＥＭＯＲＹの消去処理を継続するようにしてあるので、今までに比べれば消去時間は比較的短くて済む。
【０１６８】
このように消去処理を開始したと同時に新たな画像データの送信通知があった場合などにおいては、待ち受け処理期間中に消去処理が完了し切らない事態が発生することが予想されるので、ここでは、待ち受け処理期間中に消去処理を行なえるだけ行なっておいて、赤外線通信後に消去処理を継続的に行なえるようにしているのである。
【０１６９】
このようにすることでＦＬＡＳＨＭＥＭＯＲＹの消去処理が赤外線通信処理にまで継続してしまってユーザに赤外線通信時間が長過ぎるというような印象を持たせなくて済むプリンタが実現される。
【０１７０】
なお本実施形態では記録媒体としてインスタントフィルムを例にとり、そのインスタントフィルムに画像の記録を行なうプリンタを挙げたが、普通紙を記録媒体としてその普通紙に記録を行なうプリンタであっても良い。
【図面の簡単な説明】
【０１７１】
【図１】本発明の実施形態であるプリンタ１を、斜め前方から見た斜視図である。
【図２】インスタントフィルムシート１００１上の潜像が顕像化されながら、このプリンタの排出口からインスタントフィルムシート１００１が排出されているときの状態を示す図である。
【図３】本発明の実施形態であるプリンタの背面を斜め上方から見た斜視図である。
【図４】図１のプリンタの上面カバーを取り外し、前方斜め上方からそのプリンタ内部を見た図である。
【図５】図４に示した光学ヘッドの構成を示す模式図である。
【図６】プリンタ内部の信号処理系統の構成ブロック図である。
【図７】図６のＣＰＵが行なう処理手順を示すフローチャートである。
【図８】図７のステップＳ７０４の待ち受け処理の手順を示すフローチャートである。
【図９】図８のステップＳ８０９の処理手順を示すフローチャートである。
【図１０】図８のステップＳ８１１のプリントデータＲＡＭ展開処理の処理手順を示すフローチャートである。
【図１１】図８のステップＳ８１２のプリントデータ補正ＳＷ処理の処理手順を示すフローチャートである。
【図１２】図８のステップＳ８１３の赤外線通信処理プロセスを説明するフローチャートである。
【図１３】図８のステップＳ８１４のシリアル通信処理プロセスを説明するフローチャートである。
【図１４】図８のステップＳ８１５の電源ｏｆｆおよび図８のステップＳ８１６のオートｏｆｆ処理プロセスを説明するフローチャートである。
【図１５】ＦＬＡＳＨＭＥＭＯＲＹの書き込み処理の手順を示すフローチャートである。
【図１６】ステップＳ７１２のプリント前処理プロセスを説明するフローチャートである。
【図１７】ステップＳ７１３のプリントデータ処理プロセスを説明するフローチャートである。
【図１８】ステップＳ７１３のフィルム排出処理プロセスを説明するフローチャートである。
【図１９】第２の実施形態を説明する図である。
【図２０】図１９の赤外線通信処理プロセスの詳細を示すフローチャートである。
【符号の説明】
【０１７２】
１  プリンタ
１ａ  筐体
１０ａ  電池装填室
１ｂ  電池
１００ａ    フィルム装填室
１０１ａ    フィルムドア
１０１１ａ  １０１２ａ    バネ部材
１００    インスタントフィルムパック
１００１    インスタントフィルムシート
１０    各種スイッチ
１１    電源ＳＷ
１２    プリントＳＷ
１３    プリントデータ補正ＳＷ
１４    ＬＣＤパネル
１５    受光部
１６    光学ヘッド
１６１    ラック部材
１６１ａ    リードスクリュー
１６１１ａ    ガイド棒
１６２ａ    ステッピングモータ
１６２１ａ    ステッピングモータドライバ
１６３Ｒ  １６３Ｇ  １６３Ｂ    発光素子
１６４    導光板
１６５    液晶シャッタアレイ
１６６    セルフォックレンズ（登録商標）
１７    展開モータ
１７ａ    展開モータドライバ
１７ｂ    展開ローラ
１８０    ＣＰＵ
１８０Ａ    温度センサ
１８０Ｂ    原点センサ
１８０Ｃ    終端センサ
１８１    電源部
１８２    画像処理部
１８２１    外部Ｉ／Ｆ
１８３    印刷処理部
１８４    ＲＡＭ
１８５    ＦＬＡＳＨＭＥＭＯＲＹ
【図１】
2006326946.tif 000003
【図２】
2006326946.tif 000004
【図３】
2006326946.tif 000005
【図４】
2006326946.tif 000006
【図５】
2006326946.tif 000007
【図６】
2006326946.tif 000008
【図７】
2006326946.tif 000009
【図８】
2006326946.tif 000010
【図９】
2006326946.tif 000011
【図１０】
2006326946.tif 000012
【図１１】
2006326946.tif 000013
【図１２】
2006326946.tif 000014
【図１３】
2006326946.tif 000015
【図１４】
2006326946.tif 000016
【図１５】
2006326946.tif 000017
【図１６】
2006326946.tif 000018
【図１７】
2006326946.tif 000019
【図１８】
2006326946.tif 000020
【図１９】
2006326946.tif 000021
【図２０】
2006326946.tif 000022